(57)【要約】      （修正有）【課題】ＰＯＳ端末と釣り銭機を連動させることが可能で、自動的に必要なログ情報が取得可能な接続制御装置を提供すること。【解決手段】接続制御装置１０は、入力されたコマンド等を出力先が解読可能な形式に変換する形式変換手段１１０、コマンド等をログ情報として記憶部に保存するログ情報取得手段１２０を含む。形式変換手段は、ＰＯＳ端末３０から釣り銭機４０に送信される少なくとも１つの信号を受け取り、釣り銭機が解読可能な少なくとも１つの信号に変換して、釣り銭機に出力する第１の形式変換手段１１２と、釣り銭機からＰＯＳ端末へ送信される少なくとも１つの信号を受け取り、ＰＯＳ端末が解読可能な少なくとも１つの信号に変換して、ＰＯＳ端末に出力する第２の形式変換手段１１４を含む。【選択図】図３
2011128831.tif 000002
【特許請求の範囲】
【請求項１】
ＰＯＳ端末と釣り銭機に接続される接続制御装置であって、
入力されたコマンド及びステータスコード及びデータの少なくとも１つを出力先が解読可能な形式に変換する形式変換手段と、
前記ＰＯＳ端末と前記釣り銭機との間でやりとりされた前記コマンド及びステータスコード及びデータの少なくとも１つを含む現金入出金情報を取得し、ログ情報として記憶部に保存するログ情報取得手段と、を含み、
前記形式変換手段は、
前記ＰＯＳ端末から前記釣り銭機に送信されるコマンド及びステータスコード及びデータの少なくとも１つを含む信号を受け取り、前記釣り銭機が解読可能なコマンド及びステータスコード及びデータの少なくとも１つを含む信号に変換して、前記釣り銭機に出力する第１の形式変換手段と、
前記釣り銭機から前記ＰＯＳ端末へ送信されるコマンド及びステータスコード及びデータの少なくとも１つを含む信号を受け取り、前記ＰＯＳ端末が解読可能なコマンド及びステータスコード及びデータの少なくとも１つを含む信号に変換して、前記ＰＯＳ端末に出力する第２の形式変換手段と、
を含む接続制御装置。
【請求項２】
請求項１において、
前記ログ情報取得手段は、
前記ＰＯＳ端末と前記釣り銭機との間でやりとりされたコマンド及びステータスコード及びデータの少なくとも１つを、ログ情報として前記記憶部に保存することを特徴とする接続制御装置。
【請求項３】
請求項１又は２において、
前記第１のコマンド変換手段は、
前記ＰＯＳ端末から受け取ったコマンド及びステータスコード及びデータの少なくとも１つを含む信号から前記釣り銭機に送信すべものと送信しないものを選別する処理を行い、選別結果、送信対象となったコマンド及びステータスコード及びデータの少なくとも１つを含む信号を前記釣り銭機が解読可能なコマンド及びステータスコード及びデータの少なくとも１つを含む信号に変換することを特徴とする接続制御装置。
【請求項４】
請求項１乃至３のいずれかにおいて、
前記接続制御装置は回収用コンピュータにも接続可能に構成され、
前記形式変換手段は、
前記回収用コンピュータから前記釣り銭機に送信されるコマンド及びステータスコード及びデータの少なくとも１つを含む信号を受け取り、前記釣り銭機が解読可能なコマンド及びステータスコード及びデータの少なくとも１つを含む信号に変換して、前記釣り銭機に出力する第３の形式変換手段と、
前記釣り銭機から前記回収用コンピュータへ送信されるコマンド及びステータスコード及びデータの少なくとも１つを含む信号を受け取り、前記回収用コンピュータが解読可能なコマンド及びステータスコード及びデータの少なくとも１つを含む信号に変換して、前記回収用コンピュータに出力する第４の形式変換手段と、を含み、
前記ログ情報取得手段は、
前記ＰＯＳ端末と前記回収用コンピュータとの間でやりとりされたコマンド及びステータスコード及びデータの少なくとも１つを取得し、ログ情報として前記記憶部に保存することを特徴とする接続制御装置。
【請求項５】
請求項１乃至４のいずれかにおいて、
前記ログ情報取得手段は、
前記釣り銭機に対して出力されるコマンド及びステータスコード及びデータの少なくとも１つむ信号群と前記釣り銭機から入力したコマンド及びステータスコード及びデータの少なくとも１つを含む信号群を前記ログ情報として前記記憶部に保存することを特徴とする接続制御装置。
【請求項６】
請求項１乃至５のいずれかにおいて、
前記ログ情報取得手段は、
前記釣り銭機に記憶されている前記現金入出金情報を取得するためのログ要求コマンドを前記釣り銭機に送信し、当該ログ要求コマンドに対する応答として前記釣り銭機から受信した前記現金入出金情報をログ情報として前記記憶部に保存することを特徴とする接続制御装置。
【請求項７】
請求項１乃至６のいずれかにおいて、
前記ＰＯＳ端末から所定のコマンドを受け付けた場合に、前記記憶部に保存されたログ情報の送信処理を行うログ情報送信手段を、
含むことを特徴とする接続制御装置。
【請求項８】
請求項１乃至７のいずれかに記載の前記接続制御装置と、前記ＰＯＳ端末と、前記釣り銭機と、システム管理装置と、を含む入出金管理システムであって、
前記システム管理装置は、
前記接続制御装置のログ情報をネットワークを介して受信する手段と、
受信したログ情報に基づき回収金額理論値を演算する手段と、
を含む入出金管理システム。
【請求項９】
請求項８において、
前記システム管理装置は、
前記釣り銭機から回収された現金の金額情報を取得する手段と、
取得した現金の金額情報と、演算した回収金額理論値とを比較して、比較結果に基づき、所定の処理を行う手段と、を含むことを特徴とする入出金管理システム。
【請求項１０】
ＰＯＳ端末と釣り銭機を連動させるためのプログラムであって、
入力されたコマンド及びステータスコード及びデータの少なくとも１つを出力先が解読可能な形式に変換する形式変換手段と、
前記ＰＯＳ端末と前記釣り銭機との間でやりとりされた前記コマンド及びステータスコード及びデータの少なくとも１つを含む現金入出金情報を取得し、ログ情報として記憶部に保存するログ情報取得手段と、してコンピュータを機能させ、
前記形式変換手段は、
前記ＰＯＳ端末から前記釣り銭機に送信されるコマンド及びステータスコード及びデータの少なくとも１つを含む信号を受け取り、前記釣り銭機が解読可能なコマンド及びステータスコード及びデータの少なくとも１つを含む信号に変換して、前記釣り銭機に出力する第１の形式変換手段と、
前記釣り銭機から前記ＰＯＳ端末へ送信されるコマンド及びステータスコード及びデータの少なくとも１つを含む信号を受け取り、前記ＰＯＳ端末が解読可能なコマンド及びステータスコード及びデータの少なくとも１つを含む信号に変換して、前記ＰＯＳ端末に出力する第２の形式変換手段と、
を含むことを特徴とするプログラム。
【請求項１１】
請求項１乃至７のいずれかに記載の前記接続制御装置を用いて、前記ＰＯＳ端末と前記釣り銭機間の入出金管理を行う入出金管理方法であって、
前記接続制御装置のログ情報をネットワークを介して受信し、
受信したログ情報に基づき回収金額理論値を演算し、
前記釣り銭機から回収された現金の金額情報を取得し、
取得した現金の金額情報と、演算した回収金額理論値とを比較して、比較結果に基づき、所定の処理を行う入出金管理方法。
【発明の詳細な説明】
【技術分野】
【０００１】
本発明は、接続制御装置、入出金管理システム、プログラム及び入出金管理方法に関する。
【背景技術】
【０００２】
店舗等の売上現金の管理は、ＰＯＳ端末に接続されているキャッシュドロアに一時保管し、業務終了後の締め処理後に銀行の夜間金庫へ搬送したり、金融機関に持ち込んで入金するなどによって管理していた。この様に人手によって現金の授受を行なっている場合、現金の違算や紛失が発生する等の問題があった。しかし売上金管理においては、信頼できる人材（店長等）に任せてもある意味閉め処理段階で「売上金」は収支が合わないのが当たり前の習慣であきらめているのが現状であった。また現場では現金違算にまつわる犯人捜しや罪の擦り付け合いからギスギスした人間関係が職場を崩壊させ、しいては店舗の売上業績も落ちてしまうことにもなりかねなかった。
【先行技術文献】
【特許文献】
【０００３】
【特許文献１】特開平０７−１２１７７０号公報
【発明の概要】
【発明が解決しようとする課題】
【０００４】
近年では、ＰＯＳ端末と釣り銭機を接続して連動させることで人手による現金管理を減らす入出金システムも提案されている。しかしＰＯＳ端末と釣り銭機は、様々なメーカーによる複数の異なる機種が存在し、ＰＯＳ端末と同じメーカーの釣り銭機以外ほとんど互換性がない状態である。従ってＰＯＳ端末と釣り銭機を連動させるシステムを構築しようとすればカスタムで開発しなければならず、莫大なコストと開発期間が必要であった。
【０００５】
本発明の幾つかの態様によれば、ＰＯＳ端末と釣り銭機のコマンド及びステータスコード及びデータの少なくとも１つの形式が異なっても、これらを連動させることが可能で、自動的に必要なログ情報が取得可能な接続制御装置を提供することができる。
【課題を解決するための手段】
【０００６】
（１）本発明は、
ＰＯＳ端末と釣り銭機に接続される接続制御装置であって、
入力されたコマンド及びステータスコード及びデータの少なくとも１つを出力先が解読可能な形式に変換する形式変換手段と、
前記ＰＯＳ端末と前記釣り銭機との間でやりとりされた前記コマンド及びステータスコード及びデータの少なくとも１つを含む現金入出金情報を取得し、ログ情報として記憶部に保存するログ情報取得手段と、を含み、
前記形式変換手段は、
前記ＰＯＳ端末から前記釣り銭機に送信されるコマンド及びステータスコード及びデータの少なくとも１つを含む信号を受け取り、前記釣り銭機が解読可能なコマンド及びステータスコード及びデータの少なくとも１つを含む信号に変換して、前記釣り銭機に出力する第１の形式変換手段と、
前記釣り銭機から前記ＰＯＳ端末へ送信されるコマンド及びステータスコード及びデータの少なくとも１つを含む信号を受け取り、前記ＰＯＳ端末が解読可能なコマンド及びステータスコード及びデータの少なくとも１つを含む信号に変換して、前記ＰＯＳ端末に出力する第２の形式変換手段と、
を含む接続制御装置に関する。
【０００７】
ここにおいて形式とは、データ形式やコマンド形式やファイル形式や規格やプロトコル等を含む。接続制御装置は、例えば形式が異なるハードウェアやソフトウェアにデータを送りたい場合に、それを可能にするための装置（コンバータ）等を含む。
ＰＯＳ（Point Of Sales：販売時点情報管理）端末とは、販売店舗等に設置され、物品販売の売上実績を単品単位で集計する端末であり、売上会計を行うために、店舗内に一台ないし複数台設置されるＰＯＳ端末等を含む。
本発明によればＰＯＳ端末と釣り銭機のコマンド及びステータスコード及びデータの少なくとも１つを含む信号の形式が異なってもこれらを連動させることが可能で、自動的に必要なログ情報が取得可能な接続制御装置を提供することができる。これにより、互換性のないＰＯＳ端末と釣り銭機の連動を低コストで短期間に実現可能にし、人手による違算や紛失のリスクを減らし売上金を安全確実に管理するシステムを提供することができる。
【０００８】
（２）この接続制御装置において、
前記ログ情報取得手段は、
前記ＰＯＳ端末と前記釣り銭機との間でやりとりされたコマンド及びステータスコード及びデータの少なくとも１つを、ログ情報として前記記憶部に保存してもよい。
【０００９】
前記ログ情報取得手段は、コマンド及びステータスコード及びデータの少なくとも１つを含む信号を前記ＰＯＳ端末と前記釣り銭機とのやりとり時リアルタイムに取得し、ログ情報として前記記憶部に保存してもよい。
前記ＰＯＳ端末と前記釣り銭機との間でやりとりされたコマンド及びステータスコード及びデータの少なくとも１つを含む信号とは、入力されたコマンド及びステータスコード及びデータの少なくとも１つを含む信号でもよいし、出力された（形式変換された）コマンド及びステータスコード及びデータの少なくとも１つを含む信号でもよい。
【００１０】
（３）この接続制御装置において、
前記第１のコマンド変換手段は、
前記ＰＯＳ端末から受け取ったコマンド及びステータスコード及びデータの少なくとも１つを含む信号から前記釣り銭機に送信すべものと送信しないものを選別する処理を行い、選別結果、送信対象となったコマンド及びステータスコード及びデータの少なくとも１つを含む信号を前記釣り銭機が解読可能なコマンド及びステータスコード及びデータの少なくとも１つを含む信号に変換してもよい。
【００１１】
（４）この接続制御装置は、
回収用コンピュータにも接続可能に構成され、
前記形式変換手段は、
前記回収用コンピュータから前記釣り銭機に送信されるコマンド及びステータスコード及びデータの少なくとも１つを含む信号を受け取り、前記釣り銭機が解読可能なコマンド及びステータスコード及びデータの少なくとも１つを含む信号に変換して、前記釣り銭機に出力する第３の形式変換手段と、
前記釣り銭機から前記回収用コンピュータへ送信されるコマンド及びステータスコード及びデータの少なくとも１つを含む信号を受け取り、前記回収用コンピュータが解読可能なコマンド及びステータスコード及びデータの少なくとも１つを含む信号に変換して、前記回収用コンピュータに出力する第４の形式変換手段と、を含み、
前記ログ情報取得手段は、
前記ＰＯＳ端末と前記回収用コンピュータとの間でやりとりされたコマンド及びステータスコード及びデータの少なくとも１つを取得し、ログ情報として前記記憶部に保存してもよい。
前記ログ情報取得手段は、コマンド及びステータスコード及びデータの少なくとも１つを含む信号を前記ＰＯＳ端末と前記回収用コンピュータとのやりとり時にリアルタイムに取得し、ログ情報として前記記憶部に保存してもよい。
【００１２】
（５）この接続制御装置において、
前記ログ情報取得手段は、
前記釣り銭機に対して出力されるコマンド及びステータスコード及びデータの少なくとも１つを含む信号群と前記釣り銭機から入力したコマンド及びステータスコード及びデータの少なくとも１つを含む信号群を前記ログ情報として前記記憶部に保存してもよい。
【００１３】
（６）この接続制御装置において、
前記ログ情報取得手段は、
前記釣り銭機に記憶されている前記現金入出金情報を取得するためのログ要求コマンドを前記釣り銭機に送信し、当該ログ要求コマンドに対する応答として前記釣り銭機から受信した前記現金入出金情報をログ情報として前記記憶部に保存してもよい。
【００１４】
前記ログ要求コマンドは、ＰＯＳ端末にて生成されてもよい。
【００１５】
前記現金入出金情報とは、現金入出金記録及び残金情報及び釣り銭機のログ情報、履歴情報の少なくとも１つの情報でもよい。
【００１６】
（７）この接続制御装置は、
前記ＰＯＳ端末から所定のコマンドを受け付けた場合に、前記記憶部に保存されたログ情報の送信処理を行うログ情報送信手段を、含んでもよい。
【００１７】
所定のコマンドとは例えば閉店時にＰＯＳレジを終了する時に入力される閉店処理コマンド等でもよい。
【００１８】
ログ情報送信手段は、ログ情報をルータ、インターネット等のネットワークを介して、システム管理用のサーバ等に送信するようにしてもよい。
【００１９】
（８）本発明は、
上記のいずれかに記載の前記接続制御装置と、前記ＰＯＳ端末と、前記釣り銭機と、システム管理装置と、を含む入出金管理システムであって、
前記システム管理装置は、
前記接続制御装置のログ情報をネットワークを介して受信する手段と、
受信したログ情報に基づき回収金額理論値を演算する手段と、を含む入出金管理システムに関係する。
【００２０】
（９）この入出金管理システムにおいて、
前記システム管理装置は、
前記釣り銭機から回収された現金の金額情報を取得する手段と、
取得した現金の金額情報と、演算した回収金額理論値とを比較して、比較結果に基づき、所定の処理を行う手段と、を含んでもよい。
前記所定の処理として、取得した現金の金額と演算した回収金額理論値が一致しない場合又は許容範囲にない場合には、その旨の警告を行う用にしてもよい。
【００２１】
（１０）本発明は、
ＰＯＳ端末と釣り銭機を連動させるためのプログラムであって、
入力されたコマンド及びステータスコード及びデータの少なくとも１つを出力先が解読可能な形式に変換する形式変換手段と、
前記ＰＯＳ端末と前記釣り銭機との間でやりとりされた前記コマンド及びステータスコード及びデータの少なくとも１つを含む現金入出金情報を取得し、ログ情報として記憶部に保存するログ情報取得手段と、してコンピュータを機能させ、
前記形式変換手段は、
前記ＰＯＳ端末から前記釣り銭機に送信されるコマンド及びステータスコード及びデータの少なくとも１つを含む信号を受け取り、前記釣り銭機が解読可能なコマンド及びステータスコード及びデータの少なくとも１つを含む信号に変換して、前記釣り銭機に出力する第１の形式変換手段と、
前記釣り銭機から前記ＰＯＳ端末へ送信されるコマンド及びステータスコード及びデータの少なくとも１つを含む信号を受け取り、前記ＰＯＳ端末が解読可能なコマンド及びステータスコード及びデータの少なくとも１つを含む信号に変換して、前記ＰＯＳ端末に出力する第２の形式変換手段と、を含むプログラムに関する。
【００２２】
（１１）本発明は、
上記のいずれかに記載の前記接続制御装置を用いて、前記ＰＯＳ端末と前記釣り銭機間の入出金管理を行う入出金管理方法であって、
前記接続制御装置のログ情報をネットワークを介して受信し、
受信したログ情報に基づき回収金額理論値を演算し、
前記釣り銭機から回収された現金の金額情報を取得し、
取得した現金の金額情報と、演算した回収金額理論値とを比較して、比較結果に基づき、所定の処理を行う入出金管理方法に関する。
【図面の簡単な説明】
【００２３】
【図１】本実施の形態の入出金管理システムの構成。
【図２】本実施の形態の接続制御装置の外観イメージ図。
【図３】本実施の形態の接続制御装置の機能ブロック図。
【図４】図４（Ａ）（Ｂ）（Ｃ）は、本実施の形態の変換処理及びログ情報取得処理について説明するための図。
【図５】ログ情報の一例を示す図。
【図６】本実施の形態のシステム管理装置のデータベースに保存される入出金管理情報の一例を示す図。
【図７】本実施の形態の接続制御装置の処理の流れを示すフローチャート。
【発明を実施するための形態】
【００２４】
図１に本実施の形態の接続制御装置１０、及び接続制御装置１０を含む入出金管理システム１の構成を示す。図２は本実施の形態の接続制御装置の外観イメージ図、図３は本実施の形態の接続制御装置の機能ブロック図である。
【００２５】
図１に示すように、本実施の形態の接続制御装置１０はＰＯＳ端末３０と釣り銭機４０とに接続され、ＰＯＳ端末３０と釣り銭機４０間でやりとりされるコマンド及びステータスコード及びデータの少なくとも１つの形式変換処理やログ情報取得処理を行う。
【００２６】
例えば図２に示すように、接続制御装置１０は、複数のコネクタＣ１（ＰＯＳ端末３０接続用）、Ｃ２（釣り銭機４０接続用）、Ｃ３（回収用コンピュータ５０接続用）、ＣＮ（ＬＡＮ用）を備え、コンパクトフラッシュ（登録商標）等の書き換え可能な不揮発性メモリで構成される記憶部１４とＣＰＵ等で構成される制御部１２を内蔵する。
【００２７】
図３に示すように、制御部１２は、入力されたコマンド及びステータスコード及びデータの少なくとも１つを出力先が解読可能な形式に変換する形式変換手段１１０と、ＰＯＳ端末３０と釣り銭機４０との間でやりとりされたコマンド及びステータスコード及びデータの少なくとも１つを含む現金入出金情報を取得し、ログ情報として記憶部１４に保存するログ情報取得手段１２０として機能する。記憶部１２には制御モジュールやログ情報が保存されている。
【００２８】
形式変換手段１１０は、ＰＯＳ端末３０から釣り銭機４０に送信されるコマンド及びステータスコード及びデータの少なくとも１つを含む信号３２を受け取り前記釣り銭機が解読可能なコマンド及びステータスコード及びデータの少なくとも１つを含む信号３２’に変換して、釣り銭機４０に出力する第１の形式変換手段１１２と、釣り銭機４０からＰＯＳ端末３０へ送信されるコマンド及びステータスコード及びデータの少なくとも１つを含む信号４２を受け取り、ＰＯＳ端末３０が解読可能なコマンド及びステータスコード及びデータの少なくとも１つを含む信号４２’に変換して、ＰＯＳ端末３０に出力する第２の形式変換手段１１４と、を含む。
【００２９】
ログ情報取得手段１２０は、ＰＯＳ端末３０と釣り銭機４０との間でやりとりされたコマンド及びステータスコード及びデータの少なくとも１つ１１１を（３２，３２’、４２、４２’のいずれか）をやりとり時に取得し、ログ情報１４０として記憶部１４に保存してもよい。
【００３０】
ＰＯＳ端末３０と釣り銭機４０との間でやりとりされたコマンド及びステータスコード及びデータの少なくとも１つ１１１とは、入力信号３２、４２に含まれるコマンド及びステータスコード及びデータの少なくとも１つでもよいし、出力信号３２’、４２’に含まれる（形式変換された）コマンド及びステータスコード及びデータの少なくとも１つでもよい。
【００３１】
第１のコマンド変換手段１１２は、ＰＯＳ端末３０から受け取ったコマンド及びステータスコード及びデータの少なくとも１つを含む信号３２から釣り銭機４０に送信すべものと送信しないものを選別する処理を行い、選別結果送信対象となったコマンド及びステータスコード及びデータの少なくとも１つを含む信号を前記釣り銭機が解読可能なコマンド及びステータスコード及びデータの少なくとも１つを含む信号３２’に変換して、釣り銭機４０に出力してもよい。
【００３２】
接続制御装置１０は回収用コンピュータ５０にも接続可能に構成され、形式変換手段１１０は、回収用コンピュータ５０から釣り銭機４０に送信されるコマンド及びステータスコード及びデータの少なくとも１つを含む信号５２を受け取り釣り銭機４０が解読可能なコマンド及びステータスコード及びデータの少なくとも１つを含む信号５２’に変換して、釣り銭機４０に出力する第３の形式変換手段１１６と、釣り銭機４０から回収用コンピュータ５０へ送信されるコマンド及びステータスコード及びデータの少なくとも１つを含む信号４４を受け取り、回収用コンピュータ５０が解読可能なコマンド及びステータスコード及びデータの少なくとも１つを含む信号４４’に変換して、回収用コンピュータ５０に出力する第４の形式変換手段１１８とを含んでもよい。
【００３３】
ログ情報取得手段１２０は、ＰＯＳ端末３０と回収用コンピュータ５０との間でやりとりされたコマンド及びステータスコード及びデータの少なくとも１つ１１１（５２、５２’、４４、４４’）をやりとり時に取得し、ログ情報１４０として記憶部１４に保存してもよい。
【００３４】
ログ情報取得手段１２０は、釣り銭機４０に対して出力されるコマンド及びステータスコード及びデータの少なくとも１つを含む信号群３２’５２’と釣り銭機４０から入力したコマンド及びステータスコード及びデータの少なくとも１つを含む信号群４２、４４を前記ログ情報１４０として記憶部１４に保存してもよい。釣り銭機４０に対して出力されるコマンド及びステータスコード及びデータの少なくとも１つを含む信号群３２’５２’と釣り銭機から入力したコマンド及びステータスコード及びデータの少なくとも１つを含む信号群４２、４４は、必ず釣り銭機４０に入力又は出力されるものであるため釣り銭機４０の状況を把握しやすく、コマンドやステータスコードやデータの方式が同じであるため管理が容易で、釣り銭機４０の状況を管理しやすい。
【００３５】
ログ情報取得手段１２０は、釣り銭機４０に記憶されている現金入出金情報を取得するためのログ要求コマンドを前記釣り銭機４０に送信し、当該ログ要求コマンドに対する応答として前記釣り銭機４０から受信した前記現金入出金情報をログ情報１４０として記憶部１４に保存するようにしてもよい。
【００３６】
釣り銭機４０に記憶されている現金入出金情報とは、現金入出金記録及び残金情報及び釣り銭機のログ情報、履歴情報の少なくとも１つの情報でもよい。
【００３７】
制御部１２は、ＰＯＳ端末３０から所定のコマンド（閉店処理コマンド）を受け付けた場合に、記憶部１４に保存されたログ情報１４０の送信処理を行うログ情報送信手段１３０として機能する。
【００３８】
ログ情報送信手段１３０は、ログ情報１４０をルータ７２、ネットワーク７０を介して、システム管理装置２０に送信するようにしてもよい。
【００３９】
図１に示すように、本実施の形態の入出金管理システム１は、ＰＯＳ端末３０を含んでもよい。ＰＯＳ端末３０は店舗等におかれ、商品等の販売によって生じる売り上げや入出金の管理を行うＰＯＳレジスタでもよい。
【００４０】
また本実施の形態の入出金管理システム１は、釣り銭機４０を含んでもよい。釣り銭機４０はＰＯＳ端末に連動して紙幣や硬貨等の現金の自動入出金を行う装置（ＡＴＭ）である。釣り銭機４０はＰＯＳ端末３０に連動して動作する。すなわち釣り銭機４０は、ＰＯＳ端末３０から通知される購入金額（コマンドでより通知される）と、釣り銭機４０に入力された現金に対応して自動的に釣り銭を出金する。釣り銭機４０内では紙幣や硬貨等は専用の紙幣カセットや硬貨カセットにいれて保管されており、所定のタイミング（例えば周に１回等）で警備会社等の回収業者により回収される。
【００４１】
また本実施の形態の入出金管理システム１は、回収用コンピュータ５０を含んでもよい。
【００４２】
回収用コンピュータ５０は、釣り銭機４０から現金の入ったカセットを回収する際に、接続制御装置１０に接続され、現金の入ったカセットを回収した旨の入力と回収したカセットの識別番号の入力を行うコンピュータである。例えばパーソナルコンピュータや携帯電話やＰＤＡ等の情報通信端末に回収用のアプリケーションをインストールすることにより実現可能である。
【００４３】
また本実施の形態の入出金管理システム１は、システム管理装置２０を含んでもよい。システム管理装置２０は、インターネット回線等に接続されてデータの送受信を行う通信装置２２、ワークステーション等のホストコンピュータ２４、データベース２６を含んで構成してもよい。なお通信装置２２は、モデム、ターミナルアダプタ、あるいはルータ等によって構成され、電話回線、ＩＳＤＮ回線、あるいは専用線等の通信回線を介して、他のサーバ装置や端末との間でデータの送受信を行う。
【００４４】
システム管理装置２０は、ネットワーク（ＬＡＮ）７０や通信手段（ルータ等）を介して接続制御装置１０と通信可能に構成されている。システム管理装置２０は、閉店処理の際に接続制御装置１０から送信されるログ情報を接続制御装置１０の識別情報に関連づけてデータベースに記憶させる。ホストコンピュータ２４は、接続制御装置のログ情報をネットワークを介して受信する手段と、受信したログ情報に基づき回収金額理論値を演算する手段と、して機能する。またホストコンピュータ２４は、釣り銭機４０から回収された現金の金額情報を取得する手段と、取得した現金の金額情報と、演算した回収金額理論値とを比較して、比較結果に基づき、所定の処理を行う手段として機能する。
【００４５】
ユーザーコンピュータ６０は、例えばユーザーが所有するＰＣ（パーソナルコンピュータ）や携帯電話やＰＤＡ等の情報通信端末で実現することができる。
【００４６】
店舗のＰＯＳ端末３０によって売上が登録され現金精算処理を実行すると、登録された売り上げ金額を現金精算することを指示する現金精算コマンド３２が出力される。現金精算コマンド３２は接続制御装置１０を介して釣り銭機４０に送信される。ＰＯＳ端末３０と釣り銭機４０でコマンド及びステータスコード及びデータの少なくとも１つの形式が異なり互換性がない場合には、ＰＯＳ端末３０から送信された現金精算コマンド３２は、釣り銭機４０では解読できない形式である。しかし本実施の形態では接続制御装置１０において、釣り銭機４０が解読可能な形式の現金精算コマンド３２’に変換されて釣り銭機４０に入力され、釣り銭機４０は、現金精算コマンド３２’によって受け付けるべき金額を把握することができる。従ってＰＯＳ端末３０を操作している店員又はお客が釣り銭機４０に精算に必要な現金を投入すると、投入された釣り銭機４０で自動的に計数され、もしお釣が発生する場合には、釣り銭機４０からそのお釣が自動的に排出される。釣り銭機４０は、現金精算コマンドに対応する現金回収が成功した場合には、成功を示すステータスコード４２を出力する。成功を示すステータスコード４２は、接続制御装置１０を介してＰＯＳ端末３０に送信される。ＰＯＳ端末３０と釣り銭機４０でコマンド及びステータスコード及びデータの少なくとも１つの形式が異なり互換性がない場合には、釣り銭機４０から送信された成功を示すステータスコード４２は、ＰＯＳ端末３０では解読できない形式である。しかし本実施の形態では接続制御装置１０において、釣り銭機４０から送信された成功を示すステータスコード４２は、ＰＯＳ端末３０が解読可能な形式の成功を示すステータスコード４２’に変換されてＰＯＳ端末３０に入力される。従ってＰＯＳ端末３０は、成功を示すステータスコード４２’によって釣り銭機４０での現金精算が成功したことを把握することができる。
【００４７】
なおこの一連のやりとりにおいて送受信されたコマンドやステータスコードやデータは、ログ情報として記憶部１４に保存される。
【００４８】
また支払いの手段がカード決済である場合、カード決済が有効な場合には、登録された決済金額の金額をカード精算することを指示するカード精算コマンド３２が出力される。カード精算コマンド３２も接続制御装置１０に入力されるが、これは釣り銭機４０の動作の連動を必要としないので、形式の変換や釣り銭機４０への送信は行わない。この様な場合のやりとりは、釣り銭機４０の動作や残金に影響を与えないのでログ情報として保存する必要はない。
【００４９】
１日の営業終了時にはＰＯＳ端末３０において閉店処理が行われる。例えば店員がＰＯＳ端末３０に閉店処理コマンド等を入力する。閉店処理が行われると、接続制御装置１０では、記憶部１４に保存されているログ情報１４０を、ルータ７２経由でインターネット等のネットワーク７０を介してシステム管理装置に送信する。
【００５０】
また所定の期間毎（例えば周に１回）に、警備会社等により釣り銭機４０の現金回収処理が行われる。現金回収処理の際には、接続制御装置１０に接続された回収用コンピュータ５０から回収するカセットの番号を通知して回収を要求する回収要求コマンドが出力される。回収要求コマンド５２は接続制御装置１０を介して釣り銭機４０に送信される。回収用コンピュータ５０と釣り銭機４０でコマンド及びステータスコード及びデータの少なくとも１つの形式が異なり互換性がない場合には、回収用コンピュータ５０から送信された回収要求コマンド５２は、釣り銭機４０では解読できない形式である。しかし本実施の形態では接続制御装置１０において、釣り銭機４０が解読可能な形式の回収要求コマンド５２’に変換されて釣り銭機４０に入力されるので、釣り銭機４０は、回収要求コマンド５２’によって回収されるべきカセットを把握する。従って警備会社等の回収作業者は釣り銭機４０から必要なカセットを回収することができる。
【００５１】
釣り銭機４０は、回収要求コマンドに対応するカセットの回収が成功した場合には、成功を示すステータスコード４４を出力する。成功を示すステータスコード４４は、接続制御装置１０を介して回収用コンピュータ５０に送信される。回収用コンピュータ５０と釣り銭機４０でコマンド及びステータスコード及びデータの少なくとも１つの形式が異なり互換性がない場合には、釣り銭機４０から送信された成功を示すステータスコード４４は、回収用コンピュータ５０では解読できない形式である。しかし本実施の形態では接続制御装置１０において、成功を示すステータスコード４４は、回収用コンピュータ５０が解読可能な形式の成功を示すステータスコード４４’に変換されて回収用コンピュータ５０に入力されるので、回収用コンピュータ５０は、成功を示すステータスコード４４’によって釣り銭機４０でのカセット回収が成功したことを把握することができる。
【００５２】
なおこの一連のやりとりにおいて送受信されたコマンドやステータスコードやデータはログ情報として記憶部１４に保存される。
【００５３】
警備会社にて回収されたカセットに納められている現金は、回収業者等によって銀行等に入金される。入金金額は、店舗コードと接続制御装置１０の識別コード（釣り銭機４０又はＰＯＳ端末３０の識別コード）とともにシステム管理装置に通知される。
【００５４】
システム管理装置２０は、閉店処理によって各店舗の接続制御装置１０から送信されるログ情報をネットワーク７０を介して受信して、店舗コードと接続制御装置１０の識別コード（釣り銭機４０又はＰＯＳ端末３０の識別コード）に関連づけてデータベースに保存する。そしてログ情報に基づき、所定期間毎（例えば１日毎）の回収金額理論値を演算する。
【００５５】
また警備会社より通知された入金金額により、釣り銭機４０から回収された現金の金額情報を取得し、取得した現金の金額情報と、演算した回収金額理論値とを比較して、一致しない場合や所定の誤差範囲にない場合にはエラー処理（例えば関係するユーザーコンピュータ６０への通知処理等）を行う。
【００５６】
図４（Ａ）（Ｂ）（Ｃ）は、本実施の形態の形式変換処理及びログ情報取得処理について説明するための図である。
【００５７】
図４（Ａ）はＰＯＳ端末３０と釣り銭機４０間でやりとりされるコマンド及びステータスコード及びデータの少なくとも１つを含む信号の変換を示している。
【００５８】
接続制御装置１０は、ＰＯＳ端末３０から出力されるコマンド（一般的な釣銭機動作コマンド）を釣り銭機４０の機種に合わせて変換する（２１０参照）。また接続制御装置１０は、釣り銭機４０からのステータスコードを標準のステータスコードに変換してＰＯＳ端末３０へ戻す（２２０参照）。そして接続制御装置１０は、ＰＯＳ端末３０と釣り銭機４０間のコマンドのやりとりと釣り銭機４０の動作結果をログとして一時蓄積する（２３０参照）。
【００５９】
図４（Ｂ）は回収用コンピュータ５０と釣り銭機４０間でやりとりされるコマンド及びステータスコード及びデータの少なくとも１つを含む信号の変換を示している。
【００６０】
接続制御装置１０は、回収用コンピュータ５０から回収に関する釣銭機動作コマンドを釣り銭機４０の機種に合わせて変換する（２４０参照）。また接続制御装置１０は、釣り銭機４０からのステータスコードを標準のステータスコードに変換して回収用コンピュータへ戻す（２５０参照）。そして接続制御装置１０は、回収用コンピュータと釣り銭機４０間の釣銭機間のコマンドのやりとり動作結果及び回収者の情報を「回収ログ」（ログ情報の一例である）として蓄積する（２６０参照）。
【００６１】
図４（Ｃ）に示すように、接続制御装置１０からシステム管理装置２０へ２３０や２６０で作成されたログ情報を送信する。送信後、ログ情報は消去してもよい。送信に失敗した場合は次回の送信時まで未送信ログとして残してもよい。
【００６２】
図５は、ログ情報の一例を示す図である。釣り銭機４０が受信または送信するコマンドやステータス情報をログ情報として保存する場合を例にとり説明する。例えばＰＯＳ端末３０で１００円の商品が現金精算された場合、ＰＯＳ端末３０は「現金精算１００円」というコマンド３００を送信する。これらを受信した接続制御装置１０は、釣り銭機４０が解読可能なコマンド３００’に変換して接続制御装置１０に出力するとともに、ログ情報として記憶部に保存する。
【００６３】
釣り銭機４０においてコマンド３００’に対応して、１０００円の入金が行われ釣り銭として９００円出金されエラーなく処理を終了した場合には、釣り銭機４０は、「入金１０００円」というコマンド３０２、「出金９００円」というコマンド３０４、「ＯＫ」というステータスコード３０６を出力する。接続制御装置１０では、これらを受信すると、ログ情報として記憶部に保存するとともに、ＰＯＳ端末３０が解読可能な形式に変換して、ＰＯＳ端末３０に出力する。
【００６４】
この様に接続制御装置１０と釣り銭機４０との間で送受信されるコマンド及びステータスコード及びデータの少なくとも１つを含む信号をリアルタイムにログ情報として保存してもよい。
【００６５】
そして、閉店処理が行われると、それまでに記憶部に保存してあるログ情報をシステム管理装置に送信する。送信が成功したらログ情報を削除してもよい。
【００６６】
図６は、本実施の形態のシステム管理装置のデータベースに保存される入出金管理情報の一例を示す図である。
【００６７】
データベース２６には、店舗コード４１０，接続制御装置識別コード４２０に対応づけて、対応するログ情報が保存される。例えば図６（Ｂ）に示すように店舗コード４１０、接続制御装置識別コード４２０に関連づけてログ情報４４０へのポインタ４３０を記憶させるようにしてもよい。
【００６８】
システム管理装置２０では、所定の期間毎に（例えば現金カセット回収のサイクルにあわせたサイクルでもよい）、店舗コード４１０，接続制御装置識別コード４２０に関連づけられて保存しているログ情報４４０を読み出して、当該店舗の当該接続制御装置からの回収金額の理論値４５０を演算する。回収金額の理論値４５０は、前回回収から今回回収までの間のログ情報から演算される売上高、例えば現金精算額の合計額又は制裁額入金金額の合計から出金金額を合計を減じた値でもよい。
【００６９】
入金金額４６０は、当該店舗の当該接続制御装置からの回収された現金の値である。正常な状態であれば回収金額の理論値４５０と入金金額４６０は一致するはずである。
【００７０】
回収金額の理論値４５０と入金金額４６０を比較して、一致しない場合（又は誤差が所定の範囲内にない場合）には、その旨を該当ユーザーに通知する処理等をおこなってもよい。
【００７１】
例えば図６（Ｂ）において店舗コード「Ｐ００００１」入出金装置コード「Ｔ００００１００１」においては回収金額理論値は「１２５７６０円」で入金金額も「１２５７６０円」なので両者の値は一致するが、店舗コード「Ｐ００００１」入出金装置コード「Ｔ００００１００２」においては回収金額理論値は「８００２１円」で入金金額は「８０００３円」なので両者の値は一致せず、エラーとなる。従って店舗コード「Ｐ００００１」入出金装置コード「Ｔ００００１００２」でエラーが行ったことを当該店舗のユーザーに通知する処理を行ってもよい。
【００７２】
図７は、本実施の形態の接続制御装置の処理の流れを示すフローチャートである。
【００７３】
接続制御装置は、コマンド及びステータスコード及びデータの少なくとも１つを含む信号等の信号を受信した場合には以下の処理を行う（ステップＳ２）。
【００７４】
接続制御装置に回収用コンピュータが接続されていない場合には（ステップＳ１０）、受信した信号がＰＯＳ端末からの信号（コマンド及びステータスコード及びデータの少なくとも１つを含む信号）であれば（ステップＳ２０）、受信した信号を、前記ＰＯＳ端末が解読可能なコマンド及びステータスコード及びデータの少なくとも１つを含む信号から釣り銭機が解読可能なコマンド及びステータスコード及びデータの少なくとも１つを含む信号に変換する第１の変換処理を行い釣り銭機に出力する（ステップＳ３０）。そして、変換後のコマンド及びステータスコード及びデータの少なくとも１つをログ情報として記憶部に保存する（ステップＳ４０）。
【００７５】
ここで受信した信号が、閉店処理コマンドである場合には以下の処理を行う（ステップＳ５０）。まず記憶部に記憶されているログ情報を読み出して、システム管理装置に送信する（ステップＳ６０）。そして正常に送信終了したか否か判断し（ステップＳ７０）、正常に終了した場合には記憶部のログ情報を消去する（ステップＳ８０）。正常に終了しなかった場合には、再びステップＳ６０からＳ７０の処理を行う。
【００７６】
回収用コンピュータが接続されていない場合に（ステップＳ１０）、受信した信号がＰＯＳ端末からの信号（コマンド及びステータスコード及びデータの少なくとも１つを含む信号）でなければ（ステップＳ２０でＮの場合）、受信した信号を釣り銭機が解読可能なコマンド及びステータスコード及びデータの少なくとも１つを含む信号からＰＯＳ端末が解読可能なコマンド及びステータスコード及びデータの少なくとも１つを含む信号に変換する第２の変換処理を行いＰＯＳ端末に出力する（ステップＳ９０）。
【００７７】
また接続制御装置に回収用コンピュータが接続されている場合には（ステップＳ１０でＹの場合）、受信した信号が釣り銭機からの信号（コマンド及びステータスコード及びデータの少なくとも１つを含む信号）であれば（ステップＳ１００）、受信したコマンド及びステータスコード及びデータの少なくとも１つログ情報として記憶部に保存し（ステップＳ１１０）、受信した信号を、釣り銭機が解読可能なコマンド及びステータスコード及びデータの少なくとも１つを含む信号から回収用コンピュータが解読可能なコマンド及びステータスコード及びデータの少なくとも１つを含む信号に変換する第４の形式変換を行い回収用コンピュータに出力する（ステップＳ１２０）。
【００７８】
また接続制御装置に回収用コンピュータが接続されている場合に（ステップＳ１０でＹの場合）、受信した信号が釣り銭機からの信号（コマンド及びステータスコード及びデータの少なくとも１つを含む信号）でなければ（ステップＳ１００）、受信した信号を回収用コンピュータが解読可能なコマンド及びステータスコード及びデータの少なくとも１つを含む信号から釣り銭機が解読可能なコマンド及びステータスコード及びデータの少なくとも１つを含む信号に変換する第３の変換処理を行い釣り銭機に出力する（ステップＳ１３０）。
【００７９】
なお本発明は、上記実施形態で説明したものに限らず、種々の変形実施が可能である。例えば、明細書又は図面中の記載において広義や同義な用語（接続制御装置、ＰＯＳ端末、釣り銭機、回収用コンピュータ、システム管理装置、ユーザーコンピュータ、ログ情報、コマンド及びステータスコード及びデータの少なくとも１つを含む信号等）として引用された用語は、明細書又は図面中の他の記載においても広義や同義な用語に置き換えることができる。
【００８０】
また、ＰＯＳ端末と釣り銭機の間で送受信される信号はコマンド及びステータスコード及びデータの少なくとも１つを含む信号のみに限らず、これらと実質的に同義な内容の信号である場合にも、本発明の範囲に含むことができる。
【００８１】
また、ＰＯＳ端末と釣り銭機の間で送受信されるコマンド及びステータスコード及びデータの少なくとも１つを含む信号の内容やログ情報の内容も、本実施形態で説明したものに限定されず、これらと均等な手法も本発明の範囲に含むことができる。
【００８２】
また例えばシステム管理装置をサーバと他のコンピュータに分散して実現する場合（例えばサーバにログ情報の保存を行い、他のコンピュータで回収金額の理論値の演算や入金器楽との比較処理や比較結果に基づく警告処理を行う場合）も本発明の範囲内である。本発明が適用される接続制御装置、入出金管理システム、入出金管理方法は上記実施の形態に限定されるものではなく、種々の変形実施が可能である。
【符号の説明】
【００８３】
１  入出金管理システム
１０  接続制御装置
１２  制御部
１４  記憶部
２０  システム管理装置
３０  ＰＯＳ端末
４０  釣り銭機
５０  回収用コンピュータ
６０  ユーザーコンピュータ、
７０  ネットワーク
１１０  形式変換手段
１１２  第１の形式変換手段
１１４  第２の形式変換手段
１１６  第３の形式変換手段
１１８  第４の形式変換手段
１２０  ログ情報取得手段
１３０  ログ情報送信処理手段
１４０  ログ情報
【図１】
2011128831.tif 000003
【図２】
2011128831.tif 000004
【図３】
2011128831.tif 000005
【図４】
2011128831.tif 000006
【図５】
2011128831.tif 000007
【図６】
2011128831.tif 000008
【図７】
2011128831.tif 000009